(57)【特許請求の範囲】
【請求項１】
保護シート本体と、その保護シート本体の一方の面に、携帯端末における透視部分あるいは液晶画面に貼り付けるための粘着部を有し、当該粘着部に剥離シートを具備している液晶画面保護シートであって、前記保護シート本体に、取り外し可能な把持部を配置し、
前記把持部に、貼りつけようとする携帯端末における所定の位置を示した指示部を有することを特徴とする保護シート。
【請求項２】
保護シート本体と、その保護シート本体の一方の面に、携帯端末における透視部分あるいは液晶画面に貼り付けるための粘着部を有し、当該粘着部に剥離シートを具備している液晶画面保護シートであって、前記保護シート本体の他の面に、他の剥離シートを具備し、当該他の剥離シートに、把持部を配置し、
前記把持部に、貼りつけようとする携帯端末における所定の位置を示した指示部を有することを特徴とする保護シート。
【請求項３】
前記保護シート本体に携帯端末におけるマイクあるいは携帯端末操作用ボタンを露出させる携帯端末操作用ボタン孔及マイク孔を空けたことを特徴とする請求項１又は２項記載の保護シート。
【発明の詳細な説明】
【技術分野】
【０００１】
本発明は、液晶画面特に携帯端末の透視部分あるいは液晶画面を保護するシートに関するものである。
【背景技術】
【０００２】
携帯端末、タブレット、特にスマートフォンは、透視部分あるいは液晶画面に触れることでユーザーが直感的に入力することができるというものであり、ほぼすべてのスマートフォンにおいてタッチパネルとしての機能が採用されている。【０００３】
このようにタッチパネルは、例えば、抵抗膜方式あるいは静電容量方式などの公知の方法が採用されているがいずれも、指先あるいはタッチペンなどで透視部分あるいは液晶画面に触れなければ操作できず、当該透視部分あるいは液晶画面の汚れあるいは傷つきが問題となる。【０００４】
このような透視部分あるいは液晶画面の汚れ、傷つきを防止するために、当該透視部分あるいは液晶画面に、保護シートを貼付することが従来から行われている。この保護シートは、シートの片面に粘着剤を塗布し、その面に剥離シートを貼付したものであり、スマートフォンを使用する者が、剥離シートを除去したうえで、粘着面を、液晶画面に合わせて貼り付けするというものである。【０００５】
この場合、貼り付けた保護シートと透視部分あるいは液晶画面の間に気泡が発生する場合がある。この場合、ある程度の大きさの気泡は徐々に抜けるものの、一定以上の大きさの気泡は抜けずそのまま残ってしまう場合がある。【０００６】
このような課題を解決するものとして、実用新案登録第３１６３２３９号公報において、透明プラスチックシート基材の裏面周縁位置に沿って、再剥離性糊よりなる多数の貼り付け部が不連続に形成されてなる表示画面保護用シートが開示されている。【０００７】
上記発明は、再剥離性の糊をよりなる貼り付け部が不連続に形成されてなるというものであり、画面とシートの間に発生した気泡が逃げやすいというものである。また、貼付作業が不十分すなわち透視部分あるいは液晶画面の枠と当該保護シートの枠が一致せず、ずれて貼付した場合に再度貼付できるというものである。しかしながら、再度貼る場合に粘着面に指が触れてしまう場合があり指紋等が付着する場合がある。また、シートは無色透明なものであるので、貼付する際に位置の確認が難しく、透視部分あるいは液晶画面との位置ずれを起こしやすいという問題がある。とくにまた、携帯端末の使用者が、当該シートを張り付ける際に手先がぶれてしまい、シートを貼り付ける際にずれてしまう場合がある。また、シートの粘着面の剥離紙をはがしてからシートを取り付けるが、その粘着面に、指が触れ、使用者の指紋等あるいは汚れが付着する場合がある。
【先行技術文献】
【特許文献】
【０００８】
【特許文献１】実用新案登録第３１６３２３９号公報
【発明の概要】
【発明が解決しようとする課題】
【０００９】
本発明の課題は、透明な保護シートでも、粘着面に、指紋等が付着することのない保護シートを提供することである。また、液晶画面に貼り付ける際に位置ずれを起こしにくい保護シートを提供することである。
【課題を解決するための手段】
【００１０】
前記の課題を解決するため、本発明は、保護シート本体と、その保護シート本体の一方の面に、携帯端末における透視部分あるいは液晶画面に貼り付けるための粘着部を有し、当該粘着部に剥離シートを具備している液晶画面保護シートであって、前記保護シート本体に、取り外し可能な把持部を配置するという手段を講じたものである。【００１１】
本発明に係る保護シートは２層構造を呈するものである。すなわち第一層に剥離シートを設けその次の第２層に保護シート本体を設けている。また、当該保護シート本体に取り外し可能な把持部を配置している。ここで取り外すとは、剥離可能であることで取り外しても好ましく、再剥離可能であってもよい。【００１２】
このような構成であるために、携帯端末、特にスマートフォンに透視部分あるいは液晶画面に貼り付ける際に、まず粘着部を有している面に貼り付けている剥離シートを取り外し、粘着部を露出させた後に把持部を持ち、貼り付しようとする液晶画面に近づけて貼り付ける。この際に、保護シート本体を直接持つ必要がないために、当該保護シート本体における粘着部に手が触れる必要がないために、指紋あるいは汚れが付着することはない。その後、把持部を取り外す。【００１３】
前記の課題を解決するため、本発明は、保護シート本体と、その保護シート本体の一方の面に、携帯端末における透視部分あるいは液晶画面に貼り付けるための粘着部を有し、当該粘着部に剥離シートを具備している液晶画面保護シートであって、前記保護シート本体の他の面に、他の剥離シートを具備し、当該他の剥離シートに、把持部を配置するという手段を講じたものである。【００１４】
本発明に係る保護シートは３層構造を呈しているものである。すなわち、第一層に剥離シートを設けその次の第２層に保護シート本体を設け、その次に他方の剥離シートを設けて３層とし、その他方の剥離シートに把持部を設けたものである。【００１５】
このような構成であるために、携帯端末、特にスマートフォンにおける透視部分あるいは液晶画面に貼り付ける際に、まず粘着部を有している面に貼り付けている一方の剥離シートを取り外し、粘着部を露出させた後に把持部を持ち、貼付しようとする液晶画面に近づけて貼り付ける。この際に、シート本体を直接持つ必要がないために保護シート本体における粘着部に手を触れる必要がないために、指紋あるいは汚れが付着することはない。また、保護シート本体の両面に剥離シートを具備しているために、使用開始までその保護シート本体が傷、汚れから保護することができる。その後他方の剥離シート及び把持部を取り外す。【００１６】
前記の課題を解決するため、本発明は、前記把持部に、貼りつけようとする携帯端末における所定の位置を示した指示部を有するという手段を講じたものである。【００１７】
あらかじめ、把持部に指示部を有する構成であるので、携帯端末であるスマートフォンに、貼り付けようとする場合は、その指示部を当該スマートフォンの透視部分あるいは液晶画面の位置を示した位置に合わせることで、ずれることなく貼り付けることができる。従って、貼り直しする場合が少ないというものである。【００１８】
ここで所定の位置とは、携帯端末の液晶画面を覆う透過部分の位置を示すというものである。例えば前記透過部分が長方形を呈している場合に、その短辺の位置あるいは長辺の位置を指すものであっても好ましい。また、液晶画面が長方形を呈している場合に、その短辺の位置あるいは長辺の位置を指すものであっても好ましい。【００１９】
前記の課題を解決するために、前記保護シート本体に携帯端末におけるマイクあるいは携帯端末操作用ボタンを露出させる携帯端末操作用ボタン孔部及マイク孔部を空けるという手段を講じたものである。このように構成することにより、スマートフォンの操作を妨げることのない、透視部分あるいは液晶画面保護シートを提供することができる。
【発明の効果】
【００２０】
本発明は以上のように構成され、かつ、作用するものであり、液晶画面に貼り付ける際に位置ずれを起こしにくい保護シートを提供することができる。また、粘着面に、指紋等が付着することのない保護シートを提供することができる。
【図面の簡単な説明】
【００２１】
【図１】第１実施例における保護シートの斜視図
【図２】第１実施例における保護シートの平面図
【図３】図２における保護シートのＡ−Ａ線断面図
【図４】第１実施例における保護シートの分解斜視図
【図５】第１実施例における保護シートの貼り付け状態図
【図６】第２実施例における保護シートの斜視図
【図７】第２実施例における保護シートの平面図
【図８】図７における保護シートのＢ−Ｂ線断面図
【図９】第２実施例における保護シートの分解斜視図
【図１０】第２実施例における保護シートの貼り付け状態図
【発明を実施するための最良の形態】
【００２２】
第１実施例における保護シート１０は、剥離シート２０と保護シート本体３０と、把持部４０、４０を有している。すなわち、剥離シート２０と保護シート本体３０の２層構造を呈するものである。また、保護シート本体３０に把持部４０、４０を有する構成である。【００２３】
保護シート本体３０の片面、すなわち前記剥離シート２０を貼り付けている面には、携帯端末特にスマートフォン１００の透視部分１０１に貼り付けるための粘着部３６を有している。【００２４】
前記保護シート本体３０に貼付される剥離シート２０は、例えば、無色透明な、ポリエチレンテレフタレート、ポリブチレンテレフタレート、ポリエチレンナフタレート類あるいは、ポリプロピレンやポリエチレン類のプラスチックシートに、剥離剤を塗布した公知のものを使用することができる。なお、剥離剤としては、シリコーン系が好ましいがこれに限定されない。また、前記保護シート本体３０の他の面に、把持部４０、４０を再剥離可能に貼り付けることができ、当該保護シート本体３０の他の面についても同様に上記の、剥離剤を塗布することもできる。なお、剥離シート２０の大きさ形状共に保護シート本体３０をカバーすることが好ましく、一回り大きなものが好ましいがこれに限定されない。【００２５】
なお、剥離シート２０の大きさ形状共に保護シート本体３０をカバーすることが好ましく、一回り大きなものが好ましいがこれに限定されない。【００２６】
保護シート本体３０は、文字のにじみなどが少ない光学特性に優れる無色透明な、ＰＥＴすなわちポリエチレンテレフタレートシートが好ましい。また、ポリエチレンテレフタレートのみならず、ポリブチレンテレフタレート、ポリエチレンナフタレートなどのポリエステル系シートを使用することも好ましい。またこれらに限られず、上記光学特性に優れたシートであれば好ましい。また、保護シート本体３０の大きさあるいは形状は、貼付する携帯端末例えばスマートフォン１００の透視部分１０１あるいは液晶画面１０２の形状と大きさともに同一にすることが好ましい。すなわち、前記保護シート本体２０の大きさあるいは形状は、貼付しようとするスマートフォン１００の透視部分１０１あるいは液晶画面１０２の形状および大きさに倣うことが好ましい。本実施例においては、短辺３１、３１と、スマートフォン１００における透視部分１０１の短辺１０３、１０３と一致している。なお、長辺３２、３２と前記スマートフォン１００における透視部分１０１の長辺１０４、１０４と一致することも好ましい。【００２７】
保護シート本体３０の片面、すなわちスマートフォン１００の透視部分１０１に貼り付けようとする粘着部３６には、公知の粘着剤を塗布することができる。例えばアクリル系、シリコーン系またはポリウレタン系等の粘着剤を使用することができるがこれに限られることはない。【００２８】
操作ボタン孔部３３とマイク孔部３４、３５はあらかじめスマートフォンに配置している操作ボタン１１０あるいはマイクの孔１１１、１１２に一致させるものであり、操作ボタンあるいはマイクが貼り付けようとする面に存在しない場合は省略することできる。また、操作ボタンあるいはマイクの位置大きさは機種ごとに異なる。したがって、操作ボタン孔部３３とマイク孔部３４、３５は、保護シート本体３０の任意の位置に配置することができる。尚、図１、２、５及び後述する図６、７、１０においては、保護シート１０及び後述する保護シート５０の全体が、ほぼ透明であるので、操作ボタン孔部３３とマイク孔部３４、３５は、実線で記載されている。【００２９】
把持部４０は、把持部本体４１と指示部４２と取付け部４３を有している。また、取り付け部４３が、前記保護シート本体３０の他の面に、取り外し可能すなわち再剥離可能に貼り付けることができる。また、前記指示部４２について、所定の位置を示している。例えば、携帯端末特にスマートフォン１００における液晶画面を覆う透視部分１０１の場合は、透明の合成樹脂あるいは強化ガラスにより、スマートフォン１００の一方の面におけるほぼ全域にわたって覆うものであって、その透過部分１０１の短辺１０３、１０３の位置を示すものである（図５参照）。したがって、上記のとおり、所定の位置とは、保護シート本体３０における短辺３１と一致するものである。もっとも、図示しないがその把持部４０を長辺３２に取り付けた場合は、透過部分１０１の長辺１０４の位置を示すものであってもよい。また、保護する部分を指し示すものであればよく、液晶画面の位置を示すこともできる。また指示部４２以外は無色透明であってもよい。【００３０】
また、取付け部４３における、前記保護シート本体３０に再剥離可能に貼り付ける取り付け部４２については、保護シート本体３０に再剥離可能な公知の粘着剤を塗布することが好ましい。また、把持部本体４１を、着色しても好ましい。この場合、着色する部分と着色しない部分の境界あるいは異なる色で着色した境界を指示部４２に一致させることも好ましい。なお、本実施例において指示線４２は、把持部４０の裏面に、付されているものであるので、図３において、当該指示部４２は省略されている。【００３１】
第２実施例における保護シート５０は、剥離シート２０と保護シート本体３０と他の剥離シート６０と把持部８０、８０を有している。すなわち、剥離シート２０と保護シート本体３０と他の剥離シート６０の３層構造を呈し、その他の剥離シート６０に把持部８０、８０を有する構成である（図８参照）。なお、図６、図１０において、他の剥離シート６０の下に、保護シート本体３０が重なる構成である。また、これらの剥離シート２０および保護シート本体３０は、第１実施例における剥離シート２０および保護シート本体３０と同一であるので同じ符号を付し、その説明は省略する。【００３２】
前記他の剥離シート６０における保護シート本体３０との貼り付け面には、再剥離可能な公知の粘着剤を塗布することが好ましい。また、剥離シート６０と保護シート本体３０はほぼ同形にすることが好ましい。すなわち、剥離シート６０の短辺６１、６１と保護シート本体３０の短辺３１、３１が一致し、剥離シート６０の長辺６２、６２と保護シート本体３０の長辺３２、３２一致することが好ましい。【００３３】
把持部８０は、把持部本体８１と指示部８２と取付け部８３を有している。指示部８２は、所定の位置を異指し示すものである。例えば、携帯端末特にスマートフォン１００における液晶画面１０２を覆う透視部分１０１は、透明の合成樹脂、強化ガラスにより、スマートフォン１００の一方の面をほぼ全域にわたって覆うものであって、その透過部分１０１の短辺１０３、１０３の位置を示すものである（図１０参照）。したがって、上記のとおり、保護シート本体３０における短辺３１、３１と一致するものである。もっとも、図示しないがその把持部８０を長辺８２に取り付けた場合は、透過部分１０１の長辺１０４の位置を示すものであってもよい。また、保護する部分を指し示すものであればよく、液晶画面の位置を示すこともできる。また指示部４２以外は無色透明であってもよい。また、保護する部分を指し示すものであればよく、液晶画面の位置を示すこともできる。なお、剥離シート６０と保護シート本体３０の外形が同一である場合は、保護シート本体３０における短辺３１，３１と一致するのみならず短辺６１，６１と一致するものであることは言うまでのない。また、保護シート本体３０における長辺３２、３２と一致するのみならず、長辺６２、６２と一致するものであることは言うまでもない。なお、本実施例において指示部８２は、把持部８０の表面に、付されているものであるので、図８において当該指示部８２は省略されている。【００３４】
また、前記他の剥離シート６０に再剥離可能に貼り付ける取り付け部８３については、再剥離可能な公知の粘着剤を塗布することが好ましい。また、把持部本体８１を、着色しても好ましい。この場合、着色する部分と着色しない部分あるいは色分けた部分の境界を指示部８２に一致させることも好ましい。なお、図示しないが、他の剥離シート６０に把持部を一体とすることもできる。【００３５】
第１実施例における保護シート１０を使用する場合は、まず剥離シート２０を剥がす。次に、把持部４０、４０を持ち、透視部分１０１に近づける。このとき、把持部４０、４０における指示部４１、４１をスマートフォン１００の透視部分１０１の短辺１０３、１０３に、合わせるように貼り付けることで、目標が明確となり、保護シート本体３０をずれることなく、前記透視部分１０１に貼り付けることができる。なお、保護シート本体３２における操作ボタン孔部３３とマイク孔部３４、３５についてもスマートフォン１００における操作部１１０、およびマイク部１１１、１１２に合わせることは言うまでもない。【００３６】
ここで万が一、保護シート本体３０がスマートフォン１００に対してずれて貼られてしまった場合であっても、把持部４０、４０を持って剥がせば、当該保護シート本体３０の粘着部３６に指紋等が付着することがない。よって再度貼り直したとしても汚れる場合が少ない。【００３７】
このように、保護シート本体３０がスマートフォン１００の正確な位置に貼り付けた後に、把持部４０、４０を、保護シート本体３０から取り外せば貼り付け作業は完了する。【００３８】
第２実施例における保護シート５０を使用する場合は、まず、剥離シート２０を剥がす。次に、把持部８０、８０を持ち、透視部分１０１に近づける。このとき、把持部４０、４０における指示部８２、８２をスマートフォン１００の透視部分１０１の短辺１０３、１０３に、合わせるように貼り付けることで、目標が明確となり、保護シート本体３０をずれることなく、前記透視部分１０１に貼り付けることができる。なお、保護シート本体３２における操作ボタン孔部３３とマイク孔部３４、３５についてもスマートフォン１００における操作部１１０、およびマイク部１１１、１１２に合わせることは言うまでもない。【００３９】
ここで万が一、保護シート本体３０がスマートフォン１００に対してずれて貼られてしまった場合であっても、把持部８０、８０を持って剥がせば、当該保護シート本体３０の粘着部３６に指紋等が付着することがない。よって再度貼り直したとしても汚れる場合が少ないことは第１実施例と同様である。【００４０】
このように、保護シート本体３０がスマートフォン１００の正確な位置に貼り付けた後に、把持部８０、８０とともに、他の剥離シート６０を、保護シート本体３０から取り外せば貼り付け作業は完了する。
【符号の説明】
【００４１】
１０、５０  保護シート
２０  剥離シート
３０  保護シート本体
３３  操作ボタン孔部
３４、３５  マイク孔部
３６  粘着部
４０、８０  把持部
４２、８２  指示部
６０  他の剥離シート
【図１】
0006486949.tif 000002
【図２】
0006486949.tif 000003
【図３】
0006486949.tif 000004
【図４】
0006486949.tif 000005
【図５】
0006486949.tif 000006
【図６】
0006486949.tif 000007
【図７】
0006486949.tif 000008
【図８】
0006486949.tif 000009
【図９】
0006486949.tif 000010
【図１０】
0006486949.tif 000011